(57)【特許請求の範囲】
【請求項１】
液晶ディスプレイが装備され、通話を含むワイヤレスでの通信が可能なＰＤＡ本体と、
前記ＰＤＡ本体から分離可能で、前記液晶ディスプレイから前記通信のための入力が可能な入力ペンに、前記通話を開始するためのスタートボタンと、前記通話のための送話が可能なマイク部と、前記通話のための受話が可能なイヤホン部とを付設し、更に、前記イヤホン部を分離可能としたペンフォンと、
を備えることを特徴とするペンフォンＰＤＡ。
【発明の詳細な説明】
【０００１】
【発明が属する技術分野】
本発明は、携帯電話機とＰＤＡ（携帯情報端末）とを融合した装置に関する。
【０００２】
【従来の技術】
かつて、携帯パソコン又はＰＤＡでインターネットやＥ−メールの為の通信を行う際には、その携帯パソコン又はＰＤＡを携帯電話機に接続してＰＤＡにワイヤレス通信機能を付与するのが普通であった。
【０００３】
しかしながら、例えばＰＤＡと携帯電話機との２つの装置を常に携帯するのは、かなり煩わしかった。
【０００４】
この煩わしさを解消するため、携帯電話機単体でインターネットやＥ−メールを行えるように、携帯電話機本体に比較的大きな液晶ディスプレイを装備した携帯電話機、いわゆる“スマートフォン”が市場に登場した。
【０００５】
このスマートフォンは、その本体に装備される液晶ディスプレイの画面の大きさに制限があり、インターネットへの利用にはまだ不便であった。
【０００６】
この不便を解消するため、電話機能を含むワイヤレス通信機能を有するＰＤＡ（以下、「通信機能付きＰＤＡ」と呼ぶ。）が市場に登場した。これは、通常、後述の実施例にも示すようにＰＤＡ本体から分離可能な入力ペンを備え、この入力ペンにより、ＰＤＡ本体の液晶ディスプレイから、情報端末としてのＰＤＡに必要な入力（例えば、動作指令入力、英数字入力）だけでなく上記通信機能の実行に必要な入力（例えば、アドレス入力、電話番号入力）も行うことが可能なペン入力式の通信機能付きＰＤＡ（以下、単に「ペン入力式ＰＤＡ」と呼ぶ。）になっていた。
【０００７】
然るに、そうした従来の装置、つまり、スマートフォン及びペン入力式ＰＤＡは、いずれも「その電話機能を有効に使用するため、装置自体、つまり、送話のためのマイク及び受話のためのイヤホンが内蔵されたスマートフォン本体又はＰＤＡ本体を使用者の耳と口の周辺に持ってきて通話を行う」ことが使用上の要件になっていた。
【０００８】
このため、上記電話機能の使用時に、スマートフォン本体又はＰＤＡ本体の「液晶ディスプレイの画面が見えない」或いは「液晶ディスプレイの画面に入力ペンが使用できない」という不便さがあった。
【０００９】
しかも、上記使用上の要件により、装置自体の大きさ（ひいては、そこに装備される液晶ディスプレイの画面の大きさ）に、おのずから限界が生じた。即ち、装置自体の大きさが片手でつかめる程度に制限されていた。
【００１０】
【発明が解決しようとする課題】
本発明は、以上の不便さを解消するためになされた。
【００１１】
すなわち、本発明は、ＰＤＡに携帯電話機を融合した形態の装置であって、その電話機能の使用中（より具体的には、後述されるように通話のスタートボタンを押して通話を開始した後）にもＰＤＡ本体の「液晶ディスプレイの画面を見ることができ」また「液晶ディスプレイの画面に入力ペンを使用することができる」装置を提供することをその課題とする。
【００１２】
この点、ＰＤＡは、前記使用上の要件がなければ、装置自体の大きさに制限がなく、その持ち運びに支障がない限り、そこに装備される液晶ディスプレイの画面の大きさを自由に設定できるという長所がある。 
【００１３】
【課題を解決するための手段】
そこで本発明者は、上記課題を解決すべく、前記入力ペンがＰＤＡ本体から分離可能な点に着目し、ペン入力式ＰＤＡの進化形を模索した。
【００１４】
そして、ペン入力式ＰＤＡの入力ペンに、そのＰＤＡの電話機能のための音声の入出力機能を持たせたもの（以下、「ペンフォン」と呼ぶ。）を基本的な構成要素として用いることに想い到った。
【００１５】
この点、ペン型の小型携帯電話機が既に存在しているが、これは、それ自体が電話機として利用される。
【００１６】
すなわち、上記ペンフォンは、そうした携帯電話機とは異なり、単独では、電話機として利用できない。つまり、本発明における電話機能（より具体的にはそのための通話、即ち、送話及び受話の機能）は、“ペン入力式ＰＤＡの本体＋ペンフォン”のセット（以下、「ペンフォンＰＤＡ」と呼ぶ。）により発現され、ペンフォンは、そうしたＰＤＡの本体から“分離可能な通話のための音声入出力部”として機能する。
【００１７】
この点、前記課題を解決する請求項１記載の発明は、液晶ディスプレイが装備され、通話を含むワイヤレスでの通信が可能なＰＤＡ本体と、前記ＰＤＡ本体から分離可能で、前記液晶ディスプレイから前記通信のための入力が可能な入力ペンに、前記通話を開始するためのスタートボタンと、前記通話のための送話が可能なマイク部と、前記通話のための受話が可能なイヤホン部とを付設し、更に、前記イヤホン部を分離可能としたペンフォンと、を備えることを特徴とするペンフォンＰＤＡである。
【００１８】
【発明の実施の形態】
以下に、添付図面を参照して本発明の好適な実施の形態を説明する。
図１は、本発明の一実施例に係るペンフォンＰＤＡのＰＤＡ本体のペンフォンボックス３にペンフォン（図中、黒塗りの部分）を装着した外観を示す図、図２乃至図４は図１のＰＤＡ本体から分離されたペンフォンの外観を示す図、図５は別実施例に係るペンフォンＰＤＡのペンフォンの外観を示す図である。
上記ペンフォンＰＤＡのＰＤＡ本体は、図１に示すように、液晶ディスプレイ（図中、白抜きの部分）が装備され、後述するように、通話を含むワイヤレスでの通信が可能である。
また上記ペンフォンは、後述するように、上記ＰＤＡ本体から分離可能で上記液晶ディスプレイから上記通信のための入力が可能な入力ペンに、上記通話を開始するためのスタートボタン１１（図４参照）と、前記通話のための送話が可能なマイク部としてのマイク９（図２参照）と、前記通話のための受話が可能なイヤホン部としてのイヤホン８（図２参照）とを付設し、更に、前記イヤホン８を分離可能とした構成になっている。なお、上記入力ペンは、黒塗りのペンフォンの図から、スタートボタン１１、マイク９、及びイヤホン８を除いた部分に対応している。
上記ペンフォンＰＤＡは、見方によっては、従来の番号ボタンがついた家庭用電話機のモデルを：
１．小型化し（つまり、ＰＤＡ程度の大きさにし）；
２．携帯化し（つまり、従来の電話機本体をワイヤレス化し）；
３．ボタンレス化し（つまり、番号ボタンをなくし）；
４．送受話器の部分を分離した（つまり、送話器＋受話器にした）
新モデルにも相当する。この場合、ＰＤＡ本体が電話機本体に対応し、ペンフォンが送受話器に対応したメタファーモデルに相当する。
【００１９】
このペンフォンを“独立したペン型携帯電話機（の一種）”にしないのには、それなりの理由がある。その理由の第一として、「ペンフォン自体は出来るだけ（握りの）細いものが望ましい」という点がある。
【００２０】
なぜ、胴回りの細い方が望ましいのかというと、それは、細い方が、以下のような長所を有するからである。
【００２１】
この長所には、２つの特色がある。第一の特色は「ペンフォンがＰＤＡ本体の側面に装着できる」という点である。つまり、ＰＤＡ本体とペンフォンとを別々の装置として分離し、携帯する必要がない。但し、分離して携帯しようと思えば、それも可能になる。
【００２２】
ＰＤＡ本体が分厚い装置ならば、ペンフォンの胴回りが、ある程度の大きさでも、装着できるかもしれない。しかし、今からの時代には、分厚いＰＤＡを持ち運ぶユーザはいないであろうし、薄型のＰＤＡの側面に装着できるという条件をクリヤしなければならない。
【００２３】
第二の特色は「握りが小さいと、ペン先の細かい使用が楽になる」というインターフェイス絡みの点である。
【００２４】
この二つの長所を確保するために、従来のＰＤＡ用入力ペンと同程度の、もしくは、それよりも少しだけ大きい（握りの）細さを確保したい。それには、工学的にみて、せいぜい、“鉛筆程度”が限度であろう。
【００２５】
次に、ペンフォンと従来の入力ペンとの“形態上の相違”について述べるに、ペンフォンの形態として、（鉛筆ではなく）“キャップ付きボールペン”のアナロジーを採用する。すなわち、ペンフォンは、キャップ７（図２参照）付きの入力ペンになっている。
【００２６】
このキャップ部分が、ペンフォン本体から取り外しのきく受話器になり、ここでもペンフォンの胴回りの細さが必要になる。
【００２７】
そして、キャップを外した、ペンフォン上部が、通常の入力ペンのように、尖った形状のペン先１０（図３参照）になっている。
【００２８】
また、キャップと反対側のペンフォン下部に、送話機能が装備されている。
【００２９】
次に、ペンフォンを“ＰＤＡと独立したペン型電話機”ではなく、“ＰＤＡと一体化した送受話器”にした第二の理由をあげる。この理由は、装置の利点として、積極的なものになる。
【００３０】
まず、ペンフォンの受話器部は、電話機能のみならず、ＰＤＡで利用可能な、一般的なオーディオ情報（例えば、インターネットから取り込んだ音楽番組）を聴くためにも使用できるように設計する。このような、総合的な利用形態を考慮して、この受話器部を“イヤホン”と呼ぶ。
【００３１】
同様に、ペンフォンの送話器部は、電話機能だけではなく、ＰＤＡ本体への音声入力用のマイクとしても利用できる。このような、総合的な利用形態を考慮して、以後、この送話器部を“マイク”と呼ぶ。
【００３２】
【作用】
このペンフォンＰＤＡの電話機能は、従来の電話機の使用感を踏襲したものとなる。つまり、受信の合図により、ペンフォンをＰＤＡ本体から外し、そのキャップ部分を使用者の耳の周辺に、またその反対側を口の周辺に持ってきて使用する。 この点、本実施の形態のペンフォンは、従来の入力ペン同様に、適宜、延伸可能な構成になっている。
【００３３】
ペンフォンをＰＤＡに対する入力ペンとして使用したい時には：
１．キャップ部分を外し；
２．それをペンフォン下部に差し込み；
３． ペンフォン上部の尖った側で、ＰＤＡ本体を操作する。
ＰＤＡ本体に通信機能が付与されているため、例えば、Ｅ−メールなどは、この状態で使用する。
【００３４】
電話機能の使用中にＰＤＡ本体を携帯端末として使いたい場合、或いは、逆に、ＰＤＡ本体の携帯端末としての使用中に電話機能を使いたい場合には：
１．キャップを外して；
２．それを、耳に差し込み；
３．ペンフォン上部の尖った側で、ＰＤＡ本体を操作し（この状態で、ペンフォン下部は上を向き、顔の前まで来ているので）；
４．ペンフォン下部のマイクに音声を入力する。
【００３５】
このような動作を行うには、ペンフォンのキャップを耳に装着できることが望ましい。
【００３６】
そのためには：
１．キャップ部分は適当な長さ（２〜３ｃｍ前後、つまり、下部に挿した時に抜けない程度で、耳に挿入した時に邪魔にならない程度）にし；
２．（通常のキャップにはクリップがあるが、それと類似的に）キャップの上部に、耳に挿入する部分（つまり、イヤホン部）を設け；
３．この部分を、携帯型ステレオのイヤホン部のように構成する。すなわち、耳にすっぽり挿入できる作りにする。
【００３７】
【実施例】
次に、各添付図面を参照して上記実施の形態の実施例を説明する。
図１はペンフォンをＰＤＡ本体に装着した状態を示す。この装着の仕方には、色々な方式が適用可能だが、ここでは、ペンフォンをペンフォンボックス３にすっぽりと納める方式を採用し、ペンフォンをＰＤＡ本体から取り外しやすいように、取り出しスペース４をペンフォンボックスに設ける。このため、ＰＤＡの蓋１を閉めた状態では、ペンフォンが外部から完全に保護される。図中、２は、蓋１の留め金である。
【００３８】
図１のペンフォンはＰＤＡ本体と配線で繋がっている。この配線は図１ではペンフォン下部に隠れて見えない。しかし、図１のＰＤＡ本体には、配線を外部へ出す配線溝５が刻まれている。このため、ＰＤＡの蓋を閉めた状態でも、ペンフォンを使用できる。
【００３９】
この配線で重要なのは、“ＰＤＡの格納の邪魔にならない”という点であり、ワイヤの大きさは出来るだけ細くする。また、この配線は、ペンフォンをＰＤＡ本体に装着した時は、ボタン６を押すことにより自動的に巻き取れるように設計する。また、ペンフォンの使用中は、ＰＤＡ本体から“好みの長さ（最長１ｍ程度）”まで伸ばせるように設計する。
【００４０】
図２は、電話機能を使うためペンフォンをＰＤＡ本体から取り外した状態を示す。この状態では、ペンフォンのキャップ７がペン先１０（図３参照）をカバーしている。このキャップの上部のクリップに相当する部分がイヤホン８になっている。また、ペンフォンの下端がマイク９になっている。
【００４１】
このペンフォンは、ＰＤＡ本体とペンフォンとを繋ぐ配線を２本有するが、ペンフォンの中央部を持てば、通常の電話機のように配線１本の場合と比較しても通話に支障はない。
【００４２】
またペンフォン自体の長さを調整できるため、マイク部を使用者の口元まで持ってくることも可能である。
【００４３】
図３は、キャップを外して、ペンフォンのペン先１０を露出した状態を示す。外したキャップは、ペンフォンの下部に差し込まれる。この状態のペンフォンは、ＰＤＡ本体への装着時と比較して、適切な長さに引き伸ばされている。
【００４４】
図４は、ＰＤＡ本体を携帯端末として使用しつつ、電話機能を利用している状態のペンフォンを示す。ペンフォンのキャップのイヤホン部は耳に挿入される。また、ペンフォン下部のマイク部は、上を向いて、通話可能な状態になる。
【００４５】
この実施例の場合、マイク部の傍にあるスタートボタン１１を押すことにより通話を開始でき、会話終了後に、もう一度押せば、そのスイッチが切れる。
【００４６】
つまり、ペンフォンをＰＤＡ本体から単に外しただけでは、通話可能な状態にならない。
【００４７】
電話の送信は、スタートボタンを押した後、例えば相手の番号や名前をペンフォンに音声入力して開始するようにしても良く、或いは、ＰＤＡ本体に住所録を表示し、相手の名前をペンフォンで押すことにより開始するようにしても良い。
【００４８】
図５は別実施例に係るペンフォンの外観を示す。
【００４９】
このペンフォンは、イヤホン部の落下を防止するため、キャップ部とＰＤＡ本体とを釣り糸状の細いビニール糸１２で接続している。
【００５０】
この糸は、ＰＤＡ本体へのペンフォンの装着時には、ボタン６を押すことにより自動的にＰＤＡ本体部に巻き取られ、ペンフォンの使用時には、ＰＤＡ本体から好みの長さ（最長１ｍ程度）まで伸ばすことができる。
【００５１】
【発明の効果】
以上の説明から明らかなように、本発明は、以下の効果を奏する。
【００５２】
携帯電話機とＰＤＡとが一体化され、独立した２つの装置を別々に携帯する煩わしさがなくなる。
【００５３】
電話機能を使用中にも、ＰＤＡ本体の液晶表示部が使用できる。
【００５４】
ＰＤＡは、原理上、大きさの制限がなく、従って、持ち運びに支障がない限り、液晶画面の大きさを自由に設定できる。
【００５５】
ペンフォンのマイク部は、ＰＤＡ本体への、音声入力装置として使用できる。
【００５６】
ペンフォンのイヤホン部は、ＰＤＡのオーディオ情報を聴く機能も有する。
【００５７】
ペンフォンＰＤＡを、カバンではなくポケットに入れて携帯する場合：
１．     ＰＤＡ本体とペンフォンを別々のポケットに入れることが可能であり；
２．しかも、ペンフォンだけを取り出すことができる。
【００５８】

【図面の簡単な説明】
【図１】   図１は、本発明の一実施例に係るペンフォンＰＤＡのＰＤＡ本体にペンフォンを装着した状態を示す図である。 
【図２】   図２は、図１のペンフォンをＰＤＡ本体から取り出した状態を示す図である。 
【図３】   図３は、図１のペンフォンを入力ペンとして使用している状態を示す図である。。
【図４】   図４は、図１のＰＤＡ本体を携帯情報端末として使いながらペンフォンで電話をするときの状態を示す図である。
【図５】   図５は、本発明の別実施例に係るペンフォンＰＤＡのペンフォンをＰＤＡ本体から出した状態を示す図である。
【符号の説明】
１ ＰＤＡの蓋
２ 蓋の留め金
３ ペンフォンボックス
４ ペンフォンの取り出し用スペース
５ 配線溝
６ 配線巻取りボタン
７ ペンフォンのキャップ
８ ペンフォンのイヤホン部
９ ペンフォンのマイク部
１０ ペンフォンのペン先
１１ ペンフォンの通話開始ボタン
１２  ペンフォンのキャップ部とＰＤＡ本体とを繋ぐビニール
【図１】
0004142836.tif 000002
【図２】
0004142836.tif 000003
【図３】
0004142836.tif 000004
【図４】
0004142836.tif 000005
【図５】
0004142836.tif 000006